(57)【特許請求の範囲】
【請求項１】
電池を駆動電源として動作する回路部を有する回路基板と、
当該回路基板に設けられ、前記回路部と配線を介して接続された電極端子とを備え、
前記回路基板と前記電極端子が筐体の内部に設けられた電子機器であって、
前記電極端子に対して、前記筐体の内部へ前記電池を挿入した際に、人体が触れることができる程度に前記電池が露出している状態においては、前記電極端子と前記電池との間に、空気の絶縁破壊を発生させないための第１の所定値以上の間隔を前記筐体の内部に設け、
前記筐体の内部に挿入した前記電池が前記電極端子に触れている状態においては、前記人体と前記電池との間に、空気の絶縁破壊を発生させないための第２の所定値以上の間隔を前記筐体の内部に設けたこと
を特徴とする電子機器。
【請求項２】
電池を駆動電源として動作する回路部を有する回路基板と、
当該回路基板に設けられ、前記回路部と配線を介して接続された電極端子とを備え、
前記回路基板と前記電極端子が筐体の内部に設けられた電子機器であって、
前記電極端子と前記電池を間接的に接触させることにより電気的に導通状態とすることができる補助的部材が前記電池と前記電極端子との間に設けられており、
前記電極端子に対して、前記筐体の内部へ前記電池を挿入した際に、人体が触れることができる程度に前記電池が露出している状態においては、前記電池と接する前記補助的部材と、前記電極端子との間に、空気の絶縁破壊を発生させないための第１の所定値以上の間隔を前記筐体の内部に設け、
前記筐体の内部に挿入した前記電池と接する前記補助的部材と、前記電極端子とが触れている状態においては、前記人体と前記電池との間に、空気の絶縁破壊を発生させないための第２の所定値以上の間隔を前記筐体の内部に設けたこと
を特徴とする電子機器。
【請求項３】
前記第１の所定値及び前記第２の所定値は、３ｍｍであることを特徴とする請求項１又は２に記載の電子機器。
【請求項４】
前記電子機器はスライド方式で電池交換を行うカード型で構成されていることを特徴とする請求項１乃至３の何れか１項に記載の電子機器。
【請求項５】
前記筐体には前記電池の挿入又は取出しが可能な開口部が設けられており、
前記開口部に対して着脱自在に設けられると共に前記開口部を塞ぐことができ、かつ前記電池を搭載可能な電池ホルダーをさらに備え、
前記電池が搭載された前記電池ホルダーが、前記開口部から前記筐体の内部に挿入されて前記開口部が塞がれた場合、前記電池と前記電極端子とが接触するよう構成されていることを特徴とする請求項１に記載の電子機器。
【請求項６】
前記筐体には前記電池の挿入又は取出しが可能な開口部が設けられており、
前記開口部に対して着脱自在に設けられると共に前記開口部を塞ぐことができ、かつ前記電池を搭載可能な電池ホルダーをさらに備え、
前記電池が搭載された前記電池ホルダーが、前記開口部から前記筐体の内部に挿入されて前記開口部が塞がれた際、前記電池と接する前記補助的部材と前記電極端子とが接触するよう構成されていることを特徴とする請求項２に記載の電子機器。
【請求項７】
前記回路部は、電波を送信又は受信するアンテナの電波の信号を制御するものであり、前記アンテナ及び接地電極は、前記筐体内で互いに重ならないように配置されていることを特徴とする請求項１乃至６の何れか１項に記載の電子機器。
【発明の詳細な説明】
【技術分野】
【０００１】
電池を駆動電源として動作する電子機器に関し、特に薄型の形状を有するカード型やキーホルダー型のような携帯型の電子機器に関する。
【背景技術】
【０００２】
従来、車両等の通信対象と、電波を送受信するアンテナを介して無線通信を行い、その通信対象に搭載された装置を操作することができる回路部を備えた電子キー（携帯用電子機器）が一般に知られている。さらにこのような電子キーとしては、携帯性を良くするため、厚みを薄くしたカード型電子キーも知られている（例えば特許文献１参照）。この特許文献１のカード型電子キーは、スライド方式の電池ホルダーを有しており、電子キー本体の側面に設けられた開口部に、円盤状電池を脱着自在に挿入又は取出し可能に構成されている。また、その円盤状電池は電極端子を介して回路基板上に形成された回路部の駆動電力として供給している。
【０００３】
ところで、この特許文献１の電子キーにおいては、電池交換の際の静電防止の対策については何ら記載されていない。そのため静電気を帯電した人体が、電池と直接触れながら電池交換する際に、その静電気が電子キーの電池及び電極端子を介して回路基板に放電され、それにより回路基板上にあるＩＣ等の回路部の電子部品が誤動作を起こしたりするなどの悪影響を及ぼす恐れがある。
【０００４】
このような電池交換時における静電防止の対策例として、例えば電池蓋をはめ込むか否かの状態を、回路基板へ電源を供給するか否かのスイッチとして利用することによって、電池交換時などにユーザーの帯びた静電気が電池収納部から電子機器本体内の回路の電源ラインに放電するのを防止できるようにしたものがある（例えば特許文献２参照）。つまりこのスイッチによって、電池蓋が正しく嵌め込まれていないときは、回路基板の電源配線と電池収納部内の電極端子を物理的に切り離し、電池蓋が正しく嵌め込まれたときは、回路基板の電源配線と電極端子が接触するように構成されている。
【先行技術文献】
【特許文献】
【０００５】
【特許文献１】特開２００４−１３４１９８号公報
【特許文献２】特開平４−３７２１９５号公報
【発明の概要】
【発明が解決しようとする課題】
【０００６】
上記特許文献２のような電池蓋を電池のスイッチとして用いることによって静電防止の対策を行う技術は、電源ラインの端末の接点に人体が直接触れるときの静電防止対策である。しかし、静電気の問題は人体が直接触れること以外に、人体に帯びた静電気の放電も考慮する必要があるが、上記特許文献２では静電気の放電についての対策は何ら講じられておらず、またそのような課題もない。
【０００７】
そのため、たとえ電池蓋が電子機器本体に挿入されておらず、回路基板へ電源を供給する電池のスイッチがオフの場合であっても、帯電した人体と電極間で静電破壊が起きる距離以下に近づくと、電極端子を経由して回路基板の電源配線への空気の絶縁破壊による放電が発生し、ＩＣ等の回路部に誤動作などの悪影響が発生する恐れがある。
【０００８】
そして、この特許文献２に見られる静電防止対策を特許文献１に適用した場合を考慮しても、人体の指から直接電池に触れた場合に生じる静電対策は可能であっても、人体の指から直接触れない場合に発生する静電気の放電による問題に対しては、何ら解決するに至らない。
【０００９】
そこで本発明は上記問題に鑑み、人体に帯びた静電気の放電によって及ぼす回路部への影響をより確実に防止できる電子機器を提供することを目的とする。
【課題を解決するための手段】
【００１０】
上記目的を解決するために請求項１の電子機器は、
電池を駆動電源として動作する回路部を有する回路基板に設けられ、回路部と配線を介して接続された電極端子を備え、回路基板と電極端子が筐体の内部に設けられた電子機器であって、
電極端子に対して、筐体の内部へ電池を挿入した際に、人体が触れることができる程度に電池が露出している状態においては、電極端子と電池との間に、空気の絶縁破壊を発生させないための第１の所定値以上の間隔を筐体内に設け、
筐体の内部に挿入した電池が電極端子に触れている状態においては、人体と電池との間に、空気の絶縁破壊を発生させないための第２の所定値以上の間隔を筐体内に設けたことを特徴としている。
【００１１】
この構成によれば、人体を介して空気の絶縁破壊によって生じる静電気の放電を防止しながら、電池交換を行うことができる。つまり、空気が人体を介して絶縁破壊され、その人体に帯びた静電気の放電によって及ぼすＩＣ等の回路部への誤動作などの悪影響をより確実に防止できる。
【００１２】
請求項２の電子機器は、電池を駆動電源として動作する回路部を有する回路基板に設けられ、回路部と配線を介して接続された電極端子とを備え、回路基板と電極端子が筐体の内部に設けられた電子機器であって、
電極端子と電池を間接的に接触させることにより電気的に導通状態とすることができる補助的部材が電池と電極端子との間に設けられており、
電極端子に対して、筐体の内部へ電池を挿入した際に、人体が触れることができる程度に電池が露出している状態においては、電池と接する補助的部材と電極端子との間に、空気の絶縁破壊を発生させないための第１の所定値以上の間隔を筐体内に設け、
筐体の内部に挿入した電池と接する補助的部材と電極端子とが触れている状態においては、人体と電池との間に、空気の絶縁破壊を発生させないための第２の所定値以上の間隔を筐体内に設けたことを特徴としている。
【００１３】
この構成によれば、人体を介して空気の絶縁破壊によって生じる静電気の放電を防止しながら、電池交換を行うことができると共に、電池と直接触れる必要がなくなるため、補助的部材の形状の工夫によって、補助的部材と電極端子との接触位置を設計する自由度を向上させることができる。
【００１４】
請求項３の電子機器では、第１の所定値及び第２の所定値は、３ｍｍであることを特徴としている。
【００１５】
この構成によれば、人体と電池が接触可能な状態においては、電極端子と電池とが３ｍｍ以上離れる間隔となるよう設計し、また電極端子と電池が接触可能な状態においては、人体と電池とが３ｍｍ以上離れる間隔となるよう設計する。３ｍｍ以上間隔を空けることにより空気の絶縁破壊電圧は、一般の人体の帯電電位（約１０ｋＶ）よりも大きくなるため、絶縁破壊の発生を防止できる。
【００１６】
請求項４の電子機器は、スライド方式で電池交換を行うカード型で構成されていることを特徴としている。
【００１７】
この構成により、本体の強度が要求されるために、スライド方式で電池交換を行うようなカード型の電子機器で好適に静電防止対策を実施できる。
【００１８】
請求項５及び請求項６の電子機器では、筐体には電池の挿入又は取出しが可能な開口部が設けられており、開口部に対して着脱自在に設けられると共に開口部を塞ぐことができ、かつ電池を搭載可能な電池ホルダーをさらに備え、電池が搭載された電池ホルダーが、電池が開口部から筐体の内部に挿入されて開口部が塞がれた場合に、電極端子と電池（請求項５）又は補助的部材（請求項６）が接触するよう構成されていることを特徴とする。
【００１９】
この電池ホルダーを用いることで、電池をスムーズに筐体から挿入又は取出しが可能となる。また電池ホルダーが完全に筐体に挿入され、開口部が塞がれた場合は、人体（指など）と電池、又は補助的部材との直接的な接触を防止しながら回路部へ電源供給することができるため、好適に静電防止対策を実施できる。
【００２０】
請求項７の電子機器では、回路部は、電波を送信又は受信するアンテナの電波の信号を制御するものであり、そのアンテナ及び接地電極は、筐体の内部で互いに重ならないように配置されていることを特徴としている。
【００２１】
この構成によれば、電子キー全面に接地電極（ＧＮＤ）を配置することができず、負極端子での放電がＩＣなどの回路部の誤動作などの原因となる場合でも、静電防止を図りながらアンテナ利得も確保することが可能となる。
【図面の簡単な説明】
【００２２】
【図１】本発明の実施形態における電子キーシステムの構成を示すブロック図である。
【図２】本発明の実施形態における電子キーの内部構成を示す断面図である。
【図３】本発明の実施形態における電子キーの内部構成を示す上面図である。
【図４】本発明の実施形態における電池ホルダーの構成を示す上面図である。
【図５】本発明の実施形態における円盤状電池が装着された電池ホルダーを、開口部からスライドさせることによって挿入又は取出しを行う図である。
【図６】本発明の実施形態における電池ホルダーの変形例の構成を示す上面図である。
【発明を実施するための形態】
【００２３】
以下、本発明の電子機器を電子キーシステムに具体化した一実施形態について、図１〜図４を参照して説明する。
【００２４】
図１は電子キーシステム１の構成を示すブロック図を示している。この電子キーシステム（リモート・ドア・ロック・システムとも言う）１は、電子キー１０（本発明の電子機器に相当）の遠隔操作によって車両２０のドアを施錠・開錠する機能であり、電子キー１０に取り付けた送信機能と、車両内の受信機能で構成されている。
【００２５】
電子キー１０は、車両固有のＩＤコードを暗号通信ＩＣ１１より送信部１３に送信する。送信部１３は送信アンテナ１４から電波（３００〜４００ＭＨｚ帯）を使用してそのＩＤコードの信号を車両２０に送信する。尚、電子キーの各機能は電源部１２からの電源供給を受けて動作している。
【００２６】
車両２０では、受信部２３が受信アンテナ２４を介して電子キー１０から送信されたＩＤコードを受信・解読し、ボデーＥＣＵ（ＥＣＵ：Ｅｌｅｃｔｒｏｎｉｃ  Ｃｏｎｔｒｏｌ  Ｕｎｉｔ）２１に送信する。そしてボデーＥＣＵ２１に備わるＩＤコード照合部２２によってＩＤコードを照合する。このＩＤコードが正しいと判断すると、ドア２５を施錠・開錠するように制御する。
【００２７】
図２、図３では、電子キー１０の内部構成を示す内面図を示す。図２は円盤状電池１２ｃを収納したときの電子キー１０を側面から見たときの断面図であり、図３は円盤状電池１２ｃを収納しないときの電子キー１０を上面から見たときの上面図である。この図３の上面図は、電源部１２の電極端子（正極端子１２ａ、負極端子１２ｂ）の配置が見やすくなるよう、円盤状電池１２ｃや電池ホルダー３２を外したときの図としている。尚、円盤状電池１２ｃは、ボタン型電池又はボタン型電池よりも薄いコイン型電池を用いている。
【００２８】
図２において、樹脂製（絶縁）で形成されたカード型の筐体３０の中に、回路基板３１が配置されている。この回路基板３１上には、通信暗号ＩＣ１１や送信部１３からなる回路部（非図示）と、送信アンテナ１４、電極端子（正極端子１２ａ、負極端子１２ｂ）が形成されている。また、図示しないが電子キー１０には車両のドアを開錠・施錠させるための操作ボタン機能も備わっており、筐体３０の外側からその操作ボタンが押すことができるように構成されている。
【００２９】
電源部１２は、回路基板３１の一端に設けられ、回路部と配線を介して接続された電極端子及びその電極端子の正負極にそれぞれ対応して同極で接触している円盤状電池１２ｃを備えている。そしてこの回路部は、駆動電源となる円盤状電池１２ｃから電源供給されることによって駆動する。
【００３０】
また、図２の電源部１２に配置された円盤状電池１２ｃは、筐体３０内の側面に設けられた開口部２からスライド方式によって電源部に収納可能な樹脂製（絶縁）の電池ホルダー３２上に載せられ、電源部１２に収納されている。このような円盤状電池１２ｃを搭載可能な電池ホルダー３２を用いることで、円盤状電池１２ｃを着脱自在にスムーズに筐体３０（電源部１２）から挿入又は取出しが可能となる。
【００３１】
また、この開口部２のサイズは円盤状電池１２ｃを含む電池ホルダー３２の収納が可能で、人体の指が開口部２から筐体３０（電源部１２）内に入り込まない（侵入できない）程度の大きさで形成されている（もし円盤状電池１２ｃのサイズが２０ｍｍ×３．２ｍｍとすると、電池ホルダー３２のサイズ及び人体の指が開口部に入り込まないサイズを考慮して開口部２は例えば３０ｍｍ×５．０ｍｍと設計する）。
【００３２】
尚、このようなカード型の電子キー１０では、本体の強度が要求されるために、円盤状電池１２ｃの上部に電池蓋をかぶせて収納する据え置き方式よりも、開口部２近傍の強度が確保できるスライド方式で電池交換を行うことが好ましい。
【００３３】
図３において、円盤状電池１２ｃを電源部１２に挿入した際は、負極端子１２ｂが先に円盤状電池１２ｃと接触し、次に正極端子１２ａが接触するよう電極端子が配置されている。尚、この負極端子１２ｂは、バネ弾性を有するりん青銅などの材料を山形に成型し、その成型した頂点部分が円盤状電池１２ｃの負極と接触できるよう構成されている。
【００３４】
図４では、電池ホルダー３２の上面図を示している。電池ホルダー３２は電源部１２に収納された際に、筐体３０（ここでは開口部２の端に窪んで形成された係止部）としっかり嵌め合わせるために係合爪（３２ａ、３２ｂ）が設けられている。このように電池ホルダー３２は電池収納時に開口部２を塞ぐことのできる電池カバー（電池の蓋）としての役割も担っている。
【００３５】
また、電池ホルダー３２には、円盤状電池１２ｃが電池ホルダー３２から簡単に落下しないよう、また電源部１２へ収納時に電極端子との接触の位置ずれが生じないように、円盤状電池１２ｃの正極が嵌め込まれるサイズの円状の溝３２ｃが形成されている。さらに電源部１２へ収納時に円盤状電池１２ｃの負極が負極端子１２ｂと接触されるため、この円状の溝３２ｃとほぼ中心が同じとなるような孔３２ｄが設けられている。
【００３６】
そして、この電池ホルダー３２の電極端子と接触する側には、電源部１２へ収納時に円盤状電池１２ｃの正極及び負極が正極端子１２ａ及び負極端子１２ｂと直接接触することができるように、円状の溝３２ｃと孔３２ｄの一部を切り欠く切り欠き部３２ｅが設けられている。
【００３７】
このような電池ホルダー３２を用いることで、円盤状電池１２ｃの挿入又は取出しをスムーズに行えると共に、収納時に人体が直接触れることなく円盤状電池１２ｃと電源端子とをより安全に接触させることができる。
【００３８】
図５は、人体が開口部２から電池ホルダー３２をスライドすることによって、円盤状電池１２ｃを筐体３０内の電源部１２に挿入して収納する、又は円盤状電池１２ｃを筐体３０の外へ取出すときの説明図である。この円盤状電池１２ｃが挿入又は取出される作業の状況をそれぞれ１０１〜１０４に分けて説明する。
【００３９】
１０１は、電池ホルダー３２の上面に円盤状電池１２ｃが装着され、開口部２から筐体３０内に電池ホルダー３２が一部挿入された、又は筐体３０外に大部分が取出されたときの状況である。また、円盤状電池１２ｃの負極は、負極端子１２ｂとまだ接触していない。
【００４０】
この状況では人体の指３３と円盤状電池１２ｃとが直接接触できる状態になっている。また、この状況のときの負極端子１２ｂの端部と円盤状電池１２ｃの端部との（最短距離の）間隔３ａ１は、空気の絶縁破壊を気にしなくてよい程十分離れており、例えば１０ｍｍである。
【００４１】
１０２は、電池ホルダー３２に装着された円盤状電池１２ｃが、筐体３０の開口部２の切り口と丁度接する辺りまで、挿入された、又は取出されたときの状況である。この状況では電池ホルダー３２上面で開口部２の切り口傍にある人体の指３３と円盤状電池１２ｃとが直接接触できる限界状態（つまり互いにぎりぎり接触できる状態）になっている。
【００４２】
この状況のときの筐体３０の内部（＝筐体内）に設けた負極端子１２ｂの端部と円盤状電池１２ｃの端部との間にある（最短距離の）間隔３ａ２（本発明の空気の絶縁破壊を発生させないための第１の所定値以上の間隔に相当）は、３ｍｍである。
【００４３】
ここで間隔３ａ２を３ｍｍとしている理由について説明する。冬季の乾燥期に人体に帯電する静電気電圧は１０ｋＶ（キロボルト）以上に達することがあり、また、空気の絶縁破壊電界は３５．５ｋＶ／ｃｍである。そのため、例えばこの状態での間隔３ａ２を少なくとも３ｍｍとなるように設計することにより、人体の帯電電位（１０ｋＶ）よりも大きくなり（３５．５ｋＶ／ｃｍ×０．３ｃｍ≒１０．７ｋＶ）、静電気の放電が原因で回路部に電流が流れてしまうことで発生する絶縁破壊を防止できる。
【００４４】
また、静電気の影響をさらに確実に受けないよう安全性に考慮するのであれば、この筐体内に設けた間隔３ａ２は３ｍｍ以上に設計することが好ましい。例えばその３ｍｍを超える間隔は筐体３０のサイズやデザイン、人体が使用する状況（帯電量を想定）などの理由によって決めても良い。
【００４５】
また本実施形態において負極端子１２ｂの端部と円盤状電池１２ｃの端部との間にある間隔３ａ２を、空気の絶縁破壊を発生させないための間隔とした理由を以下説明する。本実施形態のようにアンテナ機能を用いて通信を行うような電子キー１０ではこのアンテナ利得を確保する必要がある。もし、アンテナと重なるように接地電極（ＧＮＤ）が電子キー１０全面に配置されるような構成とすると、接地電極の電位の安定に繋がるが、アンテナの利得を下げることとなり好ましくない。そのため、もし静電気により負極端子１２ｂ側に放電された場合、ＧＮＤ面積が小さいと帯電を小さくできず、電流の逃げ場がない。従って正極端子１２ａ側に放電されたのと同じように、ＧＮＤ側からＩＣ等の回路部へ電流が流れてしまう場合が発生する恐れがある。そのためアンテナと重なるように接地電極（ＧＮＤ）が電子キー１０全面に配置されるような構成の場合は、例えば電池ホルダー３２の挿入時に先に接触する負極端子１２ｂと円盤状電池１２ｃの間隔３ａ２を、３ｍｍ以上離れるように設計するとよい。このように負極端子１２ｂからの放電によってＩＣ等の回路部の誤動作が起きるような場合に対しても、静電防止対策を図ることができる。
【００４６】
１０３は、電池ホルダー３２に装着された円盤状電池１２ｃが、筐体３０の内部にほぼ収納されており、電池ホルダー３２の大部分が筐体３０の内部に挿入された、又は電池ホルダー３２の一部が筐体３０の外部に取出されたときの状況である。また、円盤状電池１２ｃの正極は、正極端子１２ａとまだ接触していないが、接触円盤状電池１２ｃの負極は、負極端子１２ｂと接触している。
【００４７】
この状況のときの円盤状電池１２ｃの端部と人体の指３３の先端部との間にある筐体３０内に設けた（最短距離の）間隔３ｂ１（本発明の空気の絶縁破壊を発生させないための第２の所定値以上の間隔に相当）は、３ｍｍである。
【００４８】
この間隔３ｂ１が３ｍｍとなるように設計されている理由は、上述した１０２の３ａ２の設計思想と同様である。つまり、間隔３ｂ１を３ｍｍとすることで、円盤状電池１２ｃと人体の指３３との間で発生した静電気の放電が原因で、円盤状電池１２ｃと接触している電極端子を介して回路部に電流が流れてしまうことで発生する絶縁破壊を防止できる。
【００４９】
また、静電気の影響をさらに確実に受けないよう安全性に考慮するのであれば、この筐体３０内に設けた間隔３ｂ１も３ｍｍ以上に設計することが好ましい。例えば間隔３ｂ１は、筐体３０のサイズやデザイン、人体が使用する状況（帯電量を想定）、又は電池ホルダー３２に用いる材質の絶縁破壊電界の影響などの理由によって決めても良い。
【００５０】
１０４は、電池ホルダー３２に装着された円盤状電池１２ｃが、筐体３０の内部に完全に収納されたときの状況である。また、円盤状電池１２ｃの正極及び負極は、対応する正極端子１２ａ及び負極端子１２ｂとそれぞれ接触している。
【００５１】
この状況のときの円盤状電池１２ｃと人体の指３３との間にある筐体３０内に設けた（最短距離の）間隔３ｂ２は、３ｍｍ＋α（負極端子１２ｂと円盤状電池１２ｃの負極が接触してから、さらに陽極端子１２ａと円盤状電池１２ｃの陽極が接触するまでのスライド距離。例えば２ｍｍ）である。
【００５２】
以上、説明した実施形態によれば、スライド方式で電池交換を行うカード型の電子キー１０において、空気が人体を介して絶縁破壊され、ＩＣ等の回路部へ放電が発生することを防止できる。特に電子キー１０のような、スライド方式で電池交換を行う電子機器で特に好適に静電防止対策を実施できる。
【００５３】
（その他の実施形態）
以上、本発明の電子機器における実施形態を説明してきたが、本発明は上述した実施形態に限定されるものでなく、本発明は特許請求の範囲の各請求項に係る発明の要旨を逸脱しない限り適用できる。
【００５４】
例えば、ダイオード等を用いた静電破壊保護回路と併用してより静電防止対策を強化してもよい。
【００５５】
また本発明は、筐体内へ電池の挿入又は筐体の外部（＝筐体外）へ電池の取出しが行われる際、人体と電池が接触可能な状態又は電池と電極端子が接触可能な状態において、空気の絶縁破壊を発生させないための所定値（例えば３ｍｍ）以上の間隔を筐体内に設けてあればよいが、電池と電極端子又は人体と電池は必ずしも直接触れる構成でなくとも良く間接的な接触であってもよい。具体的には例えば図６に示すように、電池ホルダー３２には導電性金属からなる電池用電極端子３２ｆ（正極用）及び３２ｇ（負極用）（本発明の補助的部材に相当）が配置されている。この電池ホルダー３２は円盤状電池１２ｃを搭載したときに、電池用電極端子３２ｆと円盤状電池１２ｃの正極部分、及び電池用電極端子３２ｇと円盤状電池１２ｃの負極部分が電気的に導通するように構成されている。そして、その電池用電極端子３２ｇと（図６では図示しない）筐体内の電極端子（負極端子１２ｂ）とが、空気の絶縁破壊を発生させないための所定値（例えば３ｍｍ）以上の間隔を筐体内に設けてあればよい。またこの図６の電池ホルダー３２のように、円状の溝３２ｃが欠けないような円盤状電池１２ｃを配置できるようにすることで、より安定してその電池を搭載することができる。
【００５６】
また円盤状電池１２ｃと電極端子（正極端子１２ａ及び負極端子１２ｂ）とが間接的に電気的に導通することができるため、電池用電極端子３２ｆ及び３２ｇの形状を工夫することによって、電池用電極端子３２ｆ及び３２ｇと電極端子との接触位置を設計する自由度を向上させることができる。
【００５７】
尚、上述した電池用電極端子３２ｆ及び３２ｇは、電池ホルダー３２側に設けられているが、これに限ることは無く、筐体内の電源部１２側に設けてあってもよい。
【００５８】
さらに、本発明の電子機器は、スライド方式で電池交換を行うものに限ることは無く、筐体内外へ電池の挿入又は取出しが行われる際、人体と電池が接触可能な状態又は電極端子と電池が接触可能な状態において、空気の絶縁破壊を発生させないための所定値以上の間隔を設けてあればよい。従って、例えば特許文献２のような電池蓋をはめ込むか否かの状態を、回路基板へ電源を供給するか否かのスイッチとして利用する据え置き方式で電池交換を行う構成であっても本発明を好適に実施できる。つまり特許文献２の構成を利用した場合、図示しないが、例えば回路基板に接続される正極端子及び負極端子と、電池と接触する正極及び負極のスイッチ端子とが、電池蓋をはめ込むときまでそれぞれ３ｍｍ以上の間隔を有するように構成してあればよい。さらに例えば特開２００７−２７７９２８号公報などのように、電池を直接スライドさせて開口部から挿入し、電池カバーで蓋をするような、材料・加工等にコストメリットのあるシンプルな構成であってもよい。
【００５９】
また、実施形態（図５）では、負極端子１２ｂの端部と円盤状電池１２ｃの端部との間隔を３ａ２（本発明の空気の絶縁破壊を発生させないための第１の所定値以上の間隔に相当）としているがこれに限ることは無い。例えば筐体３０の電源部１２内に円盤状電池１２ｃを挿入する場合において、正極端子１２ａが負極端子１２ｂよりも先に円盤状電池１２ｃと接触するよう構成した場合や、正極端子１２ａ及び負極端子１２ｂが円盤状電池１２ｃとほぼ同時に接触するよう構成した場合は、負極端子１２ｂの代わりに、正極端子１２ａの端部と円盤状電池１２ｃの端部との間隔を３ａ２（３ｍｍ以上離れた間隔）としてもよい。
【００６０】
さらに上述のアンテナ機能を有する電子キー１０のような構成は、電子キー１０の機能が高性能化し、例えばスマートエントリーシステム（電子キーを取出さずに車両のドアの施錠・開錠ができるシステム）のように、電子キーに送信用及び受信用などの複数のアンテナが用いられる場合であっても、静電防止を図りながらアンテナ利得も確保することができる。
【符号の説明】
【００６１】
１  電子キーシステム
２  開口部
３ａ  正極端子と円盤状電池との距離
３ｂ  人体（指）と円盤状電池との距離
１０  電子キー
１１  暗号通信ＩＣ
１２  電源部
１２ａ  正極端子
１２ｂ  負極端子
１２ｃ  円盤状電池
１３  送信部
１４  送信アンテナ
２０  車両
２１  ボデーＥＣＵ
２２  ＩＤコード照合部
２３  受信部
２４  受信アンテナ
２５  ドア施錠・開錠
３０  筐体
３１  回路基板
３２  電池ホルダー
３２ａ、３２ｂ  係合爪
３２ｃ  円状の溝
３２ｄ  孔
３２ｅ  切り欠き部
３２ｆ  電池用電極端子（正極用）
３２ｇ  電池用電極端子（負極用）
３３  人体の指
【図１】
0005648615.tif 000002
【図２】
0005648615.tif 000003
【図３】
0005648615.tif 000004
【図４】
0005648615.tif 000005
【図５】
0005648615.tif 000006
【図６】
0005648615.tif 000007